(57)【要約】【課題】棚板部を容易に固定できる棚部材を提供すること。【解決手段】  ブラケット１００と、当該ブラケット１００に支持される棚板部２００と、レール部材１１０とを備えた棚部材３００であって、前記棚板部３００は、前記レール部材１１０の長尺方向に沿ってスライド可能に構成され、前記ブラケット１００には、係合孔１３０が設けられ、前記棚板部２００には、前記係合孔１３０に係合する係合突起２４０が設けられており、当該係合突起２４０は、前記係合孔１３０に係合する係合状態と、前記係合孔から外れる非係合状態とを切換可能に構成されていることを特徴とする。【選択図】図３
2019162215.tif 000002
【特許請求の範囲】
【請求項１】
ブラケットと、当該ブラケットに支持される棚板部と、レール部材とを備えた棚部材であって、
前記棚板部は、前記レール部材の長尺方向に沿ってスライド可能に構成され、
前記ブラケットには、係合孔が設けられ、
前記棚板部には、前記係合孔に係合する係合突起が設けられており、
当該係合突起は、前記係合孔に係合する係合状態と、前記係合孔から外れる非係合状態とを切換可能に構成されていることを特徴とする棚部材。
【請求項２】
前記棚板部の裏側に、回転軸を中心に回動可能な回動部が設けられ、
当該回動部の一端は、前記回動部を回動させる操作部を備え、
前記回転軸を挟んで前記一端の反対側に設けられた他端は、前記係合突起を備えており、
前記係合突起を備えた他端が回動することで、前記係合状態と前記非係合状態とが切り替わることを特徴とする請求項１に記載の棚部材。
【請求項３】
前記回動部には、付勢部材が設けられており、
当該付勢部材は、前記係合状態に切り替わるように、前記回動部を付勢することを特徴とする請求項２に記載の棚部材。
【請求項４】
前記回動部は、前記棚部材の裏面に沿って回動するように構成されていることを特徴とする請求項１から３のいずれかに記載の棚部材。
【請求項５】
前記ブラケットには、前記レール部材の長尺方向に沿って、前記係合孔が複数設けられていることを特徴とする請求項１から４のいずれかに記載の棚部材。
【発明の詳細な説明】
【技術分野】
【０００１】
本願発明は、店舗等で商品を陳列するための陳列棚に用いられる棚部材に関するものである。
【背景技術】
【０００２】
従来から、特許文献１に示すような商品を陳列するための商品陳列棚は、ブラケットと、当該ブラケットに支持される棚板部とを備えた棚部材を、支柱に取り付けて設置していた。具体的には、支柱にはブラケットを係止可能な固定孔が、上下方向に一列に複数設けられているので、任意の位置にブラケットを差し込んで取り付け、そのブラケットに棚板部を取り付けていた。そして、その棚板部はレール部材によって、前後方向にスライド可能に構成されていた。
【０００３】
ところで、買い物客が棚板部上に陳列された商品を良く見えるように、棚板部を前方にスライドさせた状態で配置する場合や、支柱に対して棚板部を斜めに配置する場合もある。しかしながら、買い物客や従業員等が棚板部を押したり引いたりすると、簡単に棚板部がスライドしたり、又、支柱に対して棚板部を斜めに配置すると、自重によって棚板部が前方へスライドしてしまう虞がある。
【先行技術文献】
【特許文献】
【０００４】
【特許文献１】特開２００９−２７３８５８号
【発明の開示】
【発明が解決しようとする課題】
【０００５】
そこで、本願発明は上記問題に鑑み、棚板部を容易に固定できる棚部材を提供することを目的としている。
【課題を解決するための手段】
【０００６】
本願発明の棚部材は、ブラケットと、当該ブラケットに支持される棚板部と、レール部材とを備えた棚部材であって、前記棚板部は、前記レール部材の長尺方向に沿ってスライド可能に構成され、前記ブラケットには、係合孔が設けられ、前記棚板部には、前記係合孔に係合する係合突起が設けられており、当該係合突起は、前記係合孔に係合する係合状態と、前記係合孔から外れる非係合状態とを切換可能に構成されていることを特徴とする。
【０００７】
上記特徴によれば、棚板部側の係合突起がブラケットの係合孔に係合する係合状態と、係合突起が係合孔から外れる非係合状態とを切り換えることが出来るので、棚板部を容易に固定することができる。そして、支柱に対して棚板部を斜めに配置した場合であっても、自重によって棚板部が前方へスライドすることを防止できる。
【０００８】
本願発明の棚部材は、前記棚板部の裏側に、回転軸を中心に回動可能な回動部が設けられ、当該回動部の一端は、前記回動部を回動させる操作部を備え、前記回転軸を挟んで前記一端の反対側に設けられた他端は、前記係合突起を備えており、前記係合突起を備えた他端が回動することで、前記係合状態と前記非係合状態とが切り替わることを特徴とする。
【０００９】
上記特徴によれば、例えば、作業員が手の指で操作部を押せば、操作部の反対側の係合突起が回動して、ブラケットの係合孔から簡単に外れ、係合状態と非係合状態を容易に切り換えることができる。
【００１０】
本願発明の棚部材は、前記回動部には、付勢部材が設けられており、当該付勢部材は、前記係合状態に切り替わるように、前記回動部を付勢することを特徴とする。
【００１１】
上記特徴によれば、例えば、作業員が操作部から指を離せば、回動部は付勢部材の付勢力によって回動して、自動的に係合状態に切り替わる。
【００１２】
本願発明の棚部材は、前記回動部は、前記棚部材の裏面に沿って回動するように構成されていることを特徴とする。
【００１３】
上記特徴によれば、棚板部の裏面側の構造をコンパクトにでき、特に、回動部が、棚板部の裏面に沿って回動するので、棚板部の下段側の陳列スペースに回動部がはみ出すことが無く、棚部材の上下の陳列スペースを狭めることがないのである。
【００１４】
本願発明の棚部材は、前記ブラケットには、前記レール部材の長尺方向に沿って、前記係合孔が複数設けられていることを特徴とする。
【００１５】
上記特徴によれば、棚板部を任意の場所で段階的に固定できる。
【発明の効果】
【００１６】
上記に記したように、本願発明の棚部材は、棚板部を容易に固定できる。
【図面の簡単な説明】
【００１７】
【図１】（ａ）は、本願発明の棚部材を支柱に取り付けた状態の全体斜視図、（ｂ）は棚部材を支柱に取り付けた状態の側面図である。
【図２】（ａ）は、本願発明の棚部材のブラケットの外側の側面図、（ｂ）はブラケットの内側の側面図、（ｃ）はブラケットの底面図、（ｄ）はブラケットの背面図である。
【図３】（ａ）は、本願発明の棚板部の側面図、（ｂ）は、棚板部の側端部周辺を拡大した底面図、（ｃ）は、棚板部の主ローラー周辺を拡大した背面図、（ｄ）は、棚板部の側端部周辺を拡大した底面図である。
【図４】（ａ）は、本願発明の棚部材のブラケット周辺を拡大した底面図、（ｂ）は、棚部材の側面図、（ｃ）は、棚部材のブラケット周辺を拡大した背面図である。
【図５】本願発明の棚部材のブラケット周辺を拡大した底面図である。
【図６】（ａ）は、本願発明の棚部材のブラケット周辺を拡大した底面図、（ｂ）は棚部材の側面図である。
【符号の説明】
【００１８】
１００        ブラケット
１１０        レール部材
１３０        係合孔
２００        棚板部
２４０        係合突起
３００        棚板部
【発明を実施するための形態】
【００１９】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００２０】
まず、図１に本願発明の棚部材３００を支柱Ｘに取り付けた状態について説明する。なお、図１（ａ）は棚部材３００を支柱Ｘに取り付けた状態の全体斜視図、図１（ｂ）は棚部材３００を支柱Ｘに取り付けた状態の側面図である。また、本明細書における上下方向とは、図１に示すように、垂直方向に設置された支柱Ｘに沿った上下方向を意味する。
【００２１】
図１に示すように、店内の床面等に２本の支柱Ｘが垂直に設置されている。この支柱Ｘには、上下方向に複数の固定孔が形成されているので、任意の位置の係合孔にブラケット１００の係止爪１２０を係止させて、ブラケット１００を支柱Ｘに取り付ける。そして、両側のブラケット１００の上に棚板部２００を取り付けて、棚部材３００の設置が完了する。この棚部材３００は、支柱Ｘに対して水平方向に設置したり、支柱Ｘに対して傾斜するように設置することもできる。また、棚板部２００はブラケット１００の長尺方向沿って前後にスライド可能となっている。この棚部材３００はブラケット１００及び棚板部２００から構成されており、ブラケット１００及び棚板部２００の詳しい構成については、以下で説明する。
【００２２】
まず、本願発明の棚部材３００のブラケット１００の構成について、図２を参照して説明する。なお、図２（ａ）はブラケット１００の外側の側面図、図２（ｂ）はブラケット１００の内側の側面図、図２（ｃ）はブラケット１００の底面図、図２（ｄ）はブラケット１００の背面図である。
【００２３】
図２に示すように、ブラケット１００は、直線状に延びるレール部材１１０と、当該レール部材１１０の末端に設けられた係止爪１２０と、レール部材１１０の先端側に設けられた補助ローラー１１５とを備える。レール部材１１０は、図２（ｄ）に示すように、縦断面略コ字状をしており、下壁１１１と側壁１１２と上壁１１３を備える。側壁１１２の相対する側は開放されており、当該開放された部分に、後述する、棚板部２００の軸部２２１が位置するようになっている。また、詳しくは後述するが、棚板部２００の主ローラー２２０は、ブラケット１００のコ字状部分に嵌められて、図４（ｃ）に示すように、レール部材１１０の下壁１１１及び上壁１１３に当接し、回転しながらレール部材１１０の内部を長尺方向に沿って移動する。
【００２４】
また、ブラケット１００の上壁１１３の先端側には、複数の係合孔１３０が設けられている。この係合孔１３０は、等間隔でブラケット１００の長尺方向に沿って配置されており、各係合孔１３０は、後述する棚板部２００の係合突起２４０と係合できるようになっている。
【００２５】
また、レール部材１１０の先端側の補助ローラー１１５は、棚板部２００の天板２１０の裏面に当接しており、棚板部２００が前後にスライドしやすいように、棚板部２００を支持している。また、係止爪１２０は、複数設けられおり、図１に示すように、支柱Ｘに対して水平に取り付ける、又は、傾斜して取り付けることが出来るようになっている。
【００２６】
次に、本願発明の棚部材３００の棚板部２００の構成について、図３を参照して説明する。図３（ａ）は、棚板部２００の側面図であり、内部が見やすいように側壁を取り外して表示している。図３（ｂ）は、棚板部２００の側端部周辺を拡大した底面図、図３（ｃ）は、棚板部２００の主ローラー２２０周辺を拡大した背面図、図３（ｄ）は、棚板部２００の側端部周辺を拡大した底面図である。
【００２７】
図３に示すように、棚板部２００は平坦な天板２１０と、当該天板２１０の後端２２２側に設けられた主ローラー２２０と、天板２１０の裏面側に設けられた回動部２３０とを備える。主ローラー２２０は、ブラケット１００のレール部材１１０内部に嵌められて、レール部材１１０内部を回転しながら移動するもので、天板２１０の裏面に固定された軸部２２１を中心に回転する。
【００２８】
また、回動部２３０は、２つの長尺状の板状部材２３４が互いに平行に組み付けられて出来た溝部２３５を備える。この溝部２３５は、直線状に延びており、レール部材１１０の上壁１１３の先端側を収容できる。また、回動部２３０は、天板２１０の裏面に略直角に設けられた回転軸２３１を中心に回動できるようになっている。そのため、回動部２３０は、天板２１０の裏面に沿って回動することになる。
【００２９】
また、回動部２３０の一端２３６は棚板部２００の前端２１１側に位置しており、回動部２３０の他端２３７は棚板部２００の後端２２２側に位置している。この一端２３６は、人の指で押すことが出来る程度の大きさの操作部２３８を備える。一方、他端２３７は、ブラケット１００の係合孔１３０に係合する係合突起２４０を備える。この係合突起２４０は円柱形状をしており、溝部２３５内部に固定されている。
【００３０】
さらに、他端２３７にはスライド軸２５０の末端２５１が固定されており、このスライド軸２５０は、係合突起２４０とは反対方向へ延出している。そして、スライド軸２５０の先端２５２側は、天板２１０の裏面から突出する軸受板２５３の貫通孔２５４に貫通している。このスライド軸２５０の周囲には付勢部材であるバネＳが挿通されており、このバネＳはスライド軸２５０に沿って伸縮できる。また、バネＳの一端は回動部２３０の他端２３７の外面に当接し、バネＳの他端は軸受板２５３に当接している。
【００３１】
そして、人の指等で操作部２３８を側方へ向けて（図３（ｄ）の矢印参照）押すと、回動部２３０は回転軸２３１を中心に回動し、操作部２３８とは反対側の他端２３７が軸受板２５３に向けて回動する。すると、他端２３７と軸受板２５３の間のバネＳは圧縮されて縮まる。この圧縮されたバネＳには、圧縮される前の元の状態に戻ろうとする復元力が働いているので、他端２３７は側方へ向けて付勢された状態となっている。
【００３２】
では次に、ブラケット１００に棚板部２００を取り付けた棚部材３００について、図４を参照して説明する。なお、図４（ａ）は、棚部材３００のブラケット１００周辺を拡大した底面図、図４（ｂ）は、棚部材３００の側面図、図４（ｃ）は、棚部材３００のブラケット１００周辺を拡大した背面図である。
【００３３】
図４に示すように、ブラケット１００は、係止爪１２０によって支柱Ｘに取り付けられている。このブラケット１００のレール部材１１０に棚板部２００の主ローラー２２０が嵌められ、棚板部２００がブラケット１００から外れないように取り付けられている。具体的には、主ローラー２２０の両側は、側壁１１２と、下壁１１１から上方に立ち上がるように屈曲した先端１１４とで挟まれている。そのため、棚板部２００はレール部材１１０から外れないようになっている。
【００３４】
また、ブラケット１００の補助ローラー１１５が棚板部２００の天板２１０を裏面から支持している。また、ブラケット１００の上壁１１３の先端は、回動部２３０の溝部２３５内に収容されている。そして、棚板部２００側の係合突起２４０がブラケット１００の係合孔１３０に係合した係合状態となっているので、棚板部２００がレール部材１１０に沿って前後方向へスライド出来ないように固定されている。
【００３５】
では次に、係合状態から非係合状態へと切り換えて、棚板部２００を前方にスライドした状態について、図５を参照して説明する。図５は、棚部材３００のブラケット１００周辺を拡大した底面図である。
【００３６】
図５に示すように、作業員は棚板部２００の天板２１０の裏面側に手を伸ばし、手の指で操作部２３８を側方へ（図５の矢印参照）押し出すと、回動部２３０は回転軸２３１を中心に時計回りに回動して、操作部２３８とは反対側の他端２３７が軸受板２５３に向けて回動する。すると、係合突起２４０は、他端２３７と共に、係合孔１３０から離れるように回動する。係合突起２４０が係合孔１３０から外れて非係合状態となったため、棚板部２００は、ブラケット１００の長尺方向に沿って前方へスライドできる。その際、棚板部２００の主ローラー２２０は、ブラケット１００のレール部材１１０の内部を転がるように移動し、ブラケット１００の補助ローラー１１５は棚板部２００の天板２１０の裏面を転がりながら支持するため、棚板部２００を安定してスライドさせることができる。
【００３７】
なお、図５に示すように、回動部２３０は回転軸２３１を中心に回動して、他端２３７が軸受板２５３に向けて回動したことで、他端２３７と軸受板２５３の間のバネＳは圧縮されている。そのため、この圧縮されたバネＳには復元力が働き、他端２３７は係合孔１３０へ向けて付勢された状態となっている。
【００３８】
そして、任意の場所まで棚板部２００を前方へスライドさせた後に、作業員は操作部２３８から指を離せば、図６に示すように、係合突起２４０がブラケット１００の係合孔１３０に係合する係合状態へと復帰して、棚板部２００がスライドしないように固定されるのである。なお、図６（ａ）は、棚部材３００のブラケット１００周辺を拡大した底面図、図６（ｂ）は棚部材３００の側面図である。
【００３９】
具体的には、図６に示すように作業員が操作部２３８から指を離せば、バネＳの復元力によって、回動部２３０は、回転軸２３１を中心に反時計回りに回動して、元の状態へと戻る。すると、回動部２３０の他端２３７に固定されている係合突起２４０は係合孔１３０に向けて回動し、再び係合孔１３０に係合する。このように、バネＳの付勢力によって係合状態に自動的に戻り、棚板部２００がスライドしないように固定できるのである。
【００４０】
また、係合孔１３０は、レール部材１１０の長尺方向に沿って複数設けられているので、棚板部２００を、段階的に任意の場所で係合させて固定できるのである。また、係合突起２４０の周囲の溝部２３５に、係合孔１３０が収容されるので、係合孔１３０の位置や姿勢は、溝部２３５によってズレないように固定される。そのため、係合突起２４０が係合孔１３０に確実且つ容易に係合することができるのである。
【００４１】
このように、本願発明の棚部材３００によれば、棚板部２００側の係合突起２４０がブラケット１００の係合孔１３０に係合する係合状態と、係合突起２４０が係合孔１３０から外れる非係合状態とを切り換えることが出来るので、棚板部２００をレール部材１１０に沿って前後にスライドさせた状態で、棚板部２００を容易に固定することができる。そして、支柱に対して棚板部３００を斜めに配置した場合であっても、自重によって棚板部２００が前方へスライドすることを防止できる。
【００４２】
さらに、本願発明の棚部材３００によれば、回転軸２３１を中心に回動可能な回動部２３０が設けられており、その一端２３６には操作部２３８を、他端２３７には係合突起２４０を備えている。そのため、例えば、作業員が手の指で操作部２３８を押せば、操作部２３８の反対側の係合突起２４０が回動して、ブラケット１００の係合孔１３０から簡単に外れ、係合状態と非係合状態を容易に切り換えることができる。
【００４３】
なお、図３に示すように、回動部２３０はバネＳの付勢力によって、自動的に係合状態に切り替わるが、これに限定されず、バネＳを設けない場合は、操作部２３８を操作して、手動で係合状態に切り換えれば良い。
【００４４】
なお、図３から図６に示すように、係合突起２４０は回動部２３０の他端２３７に取り付けられて、回動部２３０を回動させることで、係合突起２４０を係合孔１３０に係合又は係合孔１３０から外していたが、これに限定されない。例えば、回動部２３０を設けずに、係合突起２４０をスライド軸２５０に固定しておき、係合突起２４０をスライド軸２５０に沿って指等でスライドさせて、係合孔１３０との係合又は取り外しを行ってもよい。
【００４５】
また、図３から図６に示すように、操作部２３８は棚板部２００の前端２１１側に配置されていたが、これに限定されず、例えば、棚板部２００の中央側や棚板部２００の後端２２２側など、操作部２３８を棚板部２００の任意の位置に配置してもよい。ただ、操作部２３８を棚板部２００の前端２１１側に配置すると、棚板部２００の前端２１１側から陳列作業等を行う作業者が、操作部２３８を簡単に指で操作でき、作業性が向上するのである。
【００４６】
また、図３から図６に示すように、付勢部材としてバネを採用したが、これに限定されず、係合突起２４０を係合孔１３０へ向けて付勢する付勢部材であれば、ゴムやその他の部材を適宜採用してもよい。また、バネＳを他端２３７側に配置していたが、これに限定されず、係合突起２４０を係合孔１３０へ向けて付勢できれば、回動部２３０の任意の場所に設けてもよく、例えば、回動部２３０の一端２３６側にバネＳを設けて、バネＳの付勢力で回動部２３０を回動させて、１３７側の係合突起２４０を係合孔１３０へ向けて付勢してもよい。
【００４７】
また、図３から図６に示すように、回動部２３０の回転軸２３１が棚板部２００の天板２１０に直交し、回動部２３０が棚板部２００の裏面に沿って回動するように構成されているが、これに限定されず、例えば、回動部２３０の回転軸２３１が、天板２１０と平行に配置されて、回動部２３０が天板２１０の裏面側で上下に回動するように構成してもよい。当然ながら、回動部２３０の他端２３７も上下にスライドすることになるので、他端２３７の係合突起２４０がブラケット１００の係合孔１３０に係合又は係合孔１３０から外れることが出来るように、係合突起２４０の取り付け方向も適宜変更する必要がある。
【００４８】
ただ、本願発明の棚部材３００のように、回動部２３０が、棚板部２００の裏面に沿って回動するように構成することで、棚板部２００の裏面側の構造をコンパクトにできる。特に、棚部材３００は上下に複数段配置されるため、棚板部２００上の上下方向の陳列スペースを如何に広く確保するかが重要になってくる。そのため、回動部２３０が、棚板部２００の裏面に沿って回動する場合は、棚板部２００の下段側の陳列スペースに回動部２３０がはみ出すことが無く、その構造をコンパクトにできるため、陳列スペースを狭めることがないのである。
【００４９】
また、図３から図６に示すように、係合孔１３０はブラケット１００の上壁１１３の先端に、ブラケット１００の長尺方向に沿って複数配置されているが、これに限定されない。例えば、ブラケット１００の上壁１１３の先端の任意の箇所に、係合孔１３０を１つのみ設けても良い。そして、その係合孔１３０を設けた箇所まで棚板部２００をスライドさせて、当該箇所で係合突起２４０を係合孔１３０に係合させて、棚板部２００を固定できる。ただ、係合孔１３０をブラケット１００の長尺方向に沿って複数配置すれば、棚板部２００を任意の場所で段階的に固定できるのである。
【００５０】
なお、本願発明の棚部材は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019162215.tif 000003
【図２】
2019162215.tif 000004
【図３】
2019162215.tif 000005
【図４】
2019162215.tif 000006
【図５】
2019162215.tif 000007
【図６】
2019162215.tif 000008